(57)【要約】【課題】電界通信システムにおける消費電力の低減を図る。【解決手段】送信側のトランシーバでは、データ信号を送信する前にデータ信号の周波数帯域とは異なる周波数帯域で接続信号を送信し、受信用のトランシーバ３ｂでは、第一信号処理回路２６により接続信号の周波数帯域と同じ周波数帯域の電気信号を通過させ、制御回路２７により、通過した電気信号に基づいて接続信号を受信したか否かを判定し、接続信号を受信したと判定するまでの間はデータ信号を受信するための回路の動作を抑制する。この構成により、待ち受けモードにおける受信用トランシーバ３ｂでの消費電力の低減を図る。接続信号の周波数帯域としては、データ通信用の周波数帯域よりも狭くすること、あるいは電気光学結晶１９の共振周波数帯域とすることが望ましい。あるいは接続信号の周波数を共振周波数帯域内でのレベルがピークとなる周波数に設定することが望ましい。【選択図】図６
2006080641.tif 000002
【特許請求の範囲】
【請求項１】
送信すべき信号に基づいて電界を誘起する送信用のトランシーバと前記電界を受信する受信用のトランシーバを備えた電界通信システムにおいて、
前記送信用のトランシーバは、
データ信号を送信する前にデータ信号の周波数帯域とは別の周波数帯域で接続信号を送信する送信回路と、
データ信号または接続信号に基づいて電界を誘起する送信電極とを有し、
前記受信用のトランシーバは、
誘起された電界を受信する受信電極と、
受信した電界を光源からの光と電気光学結晶を用いて検出し電気信号に変換する電界検出回路と、
前記電気信号について前記接続信号の周波数帯域のものを通過させるフィルタと、  
フィルタを通過した電気信号に基づいて接続信号を受信したか否かを判定し、接続信号を受信するまでの間はデータ信号を受信するための回路の動作を抑制する制御回路と、
とを有することを特徴とする電界通信システム。
【請求項２】
前記接続信号の周波数帯域が前記電気光学結晶の共振周波数帯域を含むように設定したことを特徴とする請求項１記載の電界通信システム。
【請求項３】
前記接続信号の周波数帯域をデータ信号の周波数帯域よりも狭く設定したことを特徴とする請求項１又は２記載の電界通信システム。
【請求項４】
前記接続信号の周波数を前記電気光学結晶の共振周波数帯域におけるレベルがピークの周波数に設定したことを特徴とする請求項１乃至３のいずれかに記載の電界通信システム。
【請求項５】
前記送信用のトランシーバと前記受信用のトランシーバがそれぞれ複数ある場合に、関連する送信用・受信用トランシーバで共通の接続信号の周波数帯域を設定し、関連しない送信用・受信用トランシーバ間では接続信号に異なる周波数帯域を設定したことを特徴とする請求項１乃至４のいずれかに記載の電界通信システム。
【請求項６】
データ信号を送信する前にデータ信号の周波数帯域とは別の周波数帯域で接続信号を送信する送信回路と、
データ信号または接続信号に基づいて電界を誘起する送信電極と、  
を有することを特徴とする電界通信用トランシーバ。
【請求項７】
前記接続信号の周波数帯域をデータ信号の周波数帯域よりも狭く設定したことを特徴とする請求項６記載の電界通信用トランシーバ。
【請求項８】
前記送信電極により誘起された電界を受信する受信用トランシーバは、受信した電界を光源からの光と電気光学結晶を用いて検出するものであって、
前記接続信号の周波数帯域を前記受信用トランシーバにおける電気光学結晶の共振周波数帯域に設定したことを特徴とする請求項６又は７記載の電界通信用トランシーバ。
【請求項９】
前記接続信号の周波数を前記電気光学結晶の共振周波数帯域におけるレベルがピークの周波数に設定したことを特徴とする請求項６乃至８のいずれかに記載の電界通信用トランシーバ。  
【請求項１０】
データ信号を送信する前にデータ信号の周波数帯域とは別の周波数帯域で接続信号を送信する送信用トランシーバの送信電極により誘起された電界を受信する受信電極と、
受信した電界を光源からの光と電気光学結晶を用いて検出し電気信号に変換する電界検出回路と、
前記電気信号について前記接続信号の周波数帯域のものを通過させるフィルタと、
フィルタを通過した電気信号に基づいて接続信号を受信したか否かを判定し、接続信号を受信するまでの間はデータ信号を受信するための回路の動作を抑制する制御回路と、
を有することを特徴とする電界通信用トランシーバ。
【請求項１１】
前記接続信号の周波数帯域をデータ信号の周波数帯域よりも狭く設定したことを特徴とする請求項１０記載の電界通信用トランシーバ。  
【請求項１２】
前記接続信号の周波数帯域を前記電気光学結晶の共振周波数帯域に設定したことを特徴とする請求項１０又は１１記載の電界通信用トランシーバ。
【請求項１３】
前記接続信号の周波数を前記電気光学結晶の共振周波数帯域におけるレベルがピークの周波数に設定したことを特徴とする請求項１０乃至１２のいずれかに記載の電界通信用トランシーバ。
【発明の詳細な説明】
【技術分野】
【０００１】
本発明は、送信すべき信号に基づいて電界伝達媒体に電界を誘起させ、この電界を用いて情報の送受信を行う電界通信システム、およびこれに用いる電界通信用トランシーバに関する。
【背景技術】
【０００２】
携帯端末の小型化および高性能化により身体に装着可能なサイズにしたコンピュータ（ウェアラブルコンピュータ）が注目されている。そして、ウェアラブルコンピュータを電界通信用のトランシーバに接続し、ウェアラブルコンピュータ間の通信を電界で行う技術の開発が進められている（例えば特許文献１参照）。
【０００３】
電界通信用のトランシーバは、その基本的な機能として、信号送信時には送信すべき情報に基づいて電界伝達媒体である生体に電界を誘起させ、信号受信時には受信した電界に基づいてレーザ光と電気光学結晶を用いた電気光学的手法により信号を検出する。
【０００４】
図１５に示すように、従来のトランシーバ３は、入出力（Ｉ／Ｏ）回路１０１を介してウェアラブルコンピュータ等の携帯端末１に接続される。信号送信時には、この入出力回路１０１を介して携帯端末１から伝送されてきた送信信号についてレベル調整回路１０２によりレベル調整し、送信回路１０３により送信用の信号に整形して送信電極１０５に供給し、送信電極１０５により絶縁膜１０６を介して生体１００に送信信号に基づく電界を誘起させる。一方、信号受信時には、生体１００の他の部位で誘起され伝達されてきた電界を生体１００に接触した絶縁膜１０８を介して受信電極１０７により受信し、電気光学結晶１３１に受信電界を結合させる。電気光学結晶１３１にはレーザ光源１３３からレーザ光が照射されており、受信電界が結合することで、このレーザ光の偏光状態が変化する。偏光状態が変化したレーザ光は、偏光検出光学系１３５で検出されて電気信号に変換され、信号処理回路１０９により雑音除去、波形整形などの処理が施され、入出力回路１０１により携帯端末１に伝送される。
【特許文献１】特開２００３−９８２０５号公報
【発明の開示】
【発明が解決しようとする課題】
【０００５】
このような構成のトランシーバ３は、内蔵されたバッテリにより駆動するものであるため、消費電力は極力小さいことが望まれる。しかしながら、トランシーバ３は、実際にはデータ信号を受信していない待ち受け状態においても、信号処理回路１０９、偏光検出光学系１３５、レーザ光源１３３を駆動させているため、電力を無駄に消費しているという問題がある。
【０００６】
本発明は、上記に鑑みてなされたものであり、その目的とするところは、消費電力を低減した電界通信システム、およびこれに用いる電界通信用トランシーバを提供することにある。
【課題を解決するための手段】
【０００７】
第１の本発明に係る電界通信システムは、送信すべき信号に基づいて電界を誘起する送信用のトランシーバと前記電界を受信する受信用のトランシーバを備えた電界通信システムにおいて、前記送信用のトランシーバは、データ信号を送信する前にデータ信号の周波数帯域とは別の周波数帯域で接続信号を送信する送信回路と、データ信号または接続信号に基づいて電界を誘起する送信電極とを有し、前記受信用のトランシーバは、誘起された電界を受信する受信電極と、受信した電界を光源からの光と電気光学結晶を用いて検出し電気信号に変換する電界検出回路と、前記電気信号について前記接続信号の周波数帯域のものを通過させるフィルタと、フィルタを通過した電気信号に基づいて接続信号を受信したか否かを判定し、接続信号を受信するまでの間はデータ信号を受信するための回路の動作を抑制する制御回路と、とを有することを特徴とする。
【０００８】
本発明にあっては、送信用のトランシーバによりデータ信号を送信する前にデータ信号の周波数帯域とは異なる周波数帯域で接続信号を送信し、受信用のトランシーバにより接続信号の周波数帯域のフィルタを通過した電気信号に基づいて接続信号を受信したか否かを判定し、接続信号を受信するまでの間はデータ信号を受信するための回路の動作を抑制することで、データ信号を受信していない待ち受け状態における消費電力の低減を図るようにしている。
【０００９】
また、本発明は、上記電界通信システムにおいて、前記接続信号の周波数帯域が電気光学結晶の共振周波数帯域を含むように設定したことを特徴とする。
【００１０】
本発明にあっては、接続信号の周波数帯域が電気光学結晶の共振周波数帯域を含むように設定したことで、接続信号のＳ／Ｎをデータ信号のものよりも更に向上させ、その分だけ光源の出力を抑制できるようにして、待ち受け状態における更なる消費電力の低減を図っている。
【００１１】
また、本発明は、上記電界通信システムにおいて、前記接続信号の周波数帯域をデータ信号の周波数帯域よりも狭く設定したことを特徴とする。
【００１２】
本発明にあっては、接続信号の周波数帯域をデータ信号の周波数帯域よりも狭く設定したことで、接続信号のＳ／Ｎをデータ信号のものよりも向上させ、その分だけ光源の出力を抑制できるようにして待ち受け状態における消費電力の低減を図っている。
【００１３】
また、本発明は、上記電界通信システムにおいて、前記接続信号の周波数を電気光学結晶の共振周波数帯域におけるレベルがピークの周波数に設定したことを特徴とする。
【００１４】
本発明にあっては、接続信号の周波数を電気光学結晶の共振周波数帯域におけるレベルがピークの周波数に設定したことで、接続信号のＳ／Ｎが最大にし、その分だけ光源の出力を抑制できるようにして、待ち受け状態における更なる消費電力の低減を図っている。
【００１５】
また、本発明は、上記電界通信システムにおいて、送信用のトランシーバと受信用のトランシーバがそれぞれ複数ある場合に、関連する送信用・受信用トランシーバで共通の接続信号の周波数帯域を設定し、関連しない送信用・受信用トランシーバ間では接続信号に異なる周波数帯域を設定したことを特徴とする。
【００１６】
本発明にあっては、関連する送信用・受信用トランシーバで共通の接続信号の周波数帯域を設定し、関連しない送信用・受信用トランシーバ間では接続信号に異なる周波数帯域を設定することで、受信用トランシーバにおいて、関連する送信用トランシーバからの接続信号を受信するまでの間はデータ信号を受信するための回路の動作を抑制できるようにしている。また、このような構成とすることで、例えば、受信用トランシーバに接続された機器において、受信した接続信号の周波数に基づいて提供するサービスを区別できるようにしている。
【００１７】
第２の本発明に係る電界通信用トランシーバは、データ信号を送信する前にデータ信号の周波数帯域とは別の周波数帯域で接続信号を送信する送信回路と、データ信号または接続信号に基づいて電界を誘起する送信電極と、を有することを特徴とする。
【００１８】
ここで、接続信号の周波数帯域をデータ信号の周波数帯域よりも狭く設定することが望ましい。また、接続信号の周波数帯域を前記受信用トランシーバにおける電気光学結晶の共振周波数帯域に設定することがさらに望ましい。また、接続信号の周波数を前記電気光学結晶の共振周波数帯域におけるレベルがピークの周波数に設定することがさらに望ましい。
【００１９】
第３の本発明に係る電界通信用トランシーバは、データ信号を送信する前にデータ信号の周波数帯域とは別の周波数帯域で接続信号を送信する送信用トランシーバの送信電極により誘起された電界を受信する受信電極と、受信した電界を光源からの光と電気光学結晶を用いて検出し電気信号に変換する電界検出回路と、前記電気信号について前記接続信号の周波数帯域のものを通過させるフィルタと、フィルタを通過した信号に基づいて接続信号を受信したか否かを判定し、接続信号を受信するまでの間はデータ信号を受信するための回路の動作を抑制する制御回路と、を有することを特徴とする。
【００２０】
ここで、接続信号の周波数帯域をデータ信号の周波数帯域よりも狭く設定することが望ましい。また、接続信号の周波数帯域を前記電気光学結晶の共振周波数帯域に設定することがさらに望ましい。また、接続信号の周波数を電気光学結晶の共振周波数帯域におけるレベルがピークの周波数に設定することがさらに望ましい。
【発明の効果】
【００２１】
本発明の電界通信システムおよび電界通信用トランシーバによれば、消費電力の低減を図ることができる。
【発明を実施するための最良の形態】
【００２２】
以下、本発明の実施の形態について図面を用いて説明する。
【００２３】
本実施の形態では、一例として図１に示すような電界通信システムを想定する。同図の電界通信システムは、パソコン５などの設置端末にケーブルを介して接続され、ＡＣ電源から電源が供給される複数の電界通信用のトランシーバ３ａと、ウェアラブルコンピュータ等の携帯端末１に接続され内蔵バッテリにより電源が供給される複数の電界通信用のトランシーバ３ｂを備える。
【００２４】
同図に示すように、各携帯端末１は、それぞれトランシーバ３ｂを介して人間の腕、肩、胴などに装着され、相互に通信が可能となっている。手足の先端に取り付けられたトランシーバ３ａは、各トランシーバ３ｂと通信するとともに、パソコン５等の設置端末とケーブルを介して通信するようになっている。
【００２５】
設置端末側のトランシーバ３ａは、図２に示すように、パソコン５に入出力（Ｉ／Ｏ）回路２を介して接続される。そして、送信側の構成として、待ち受け用送信回路１１、通信用送信回路１２、切替スイッチ１３、送信電極１４を備え、受信側の構成として、受信電極１６、電流源１７、レーザ光源１８、電気光学結晶１９、偏光検出光学系２０、通信用受信回路２１、第二信号処理回路２２を備え、さらにこれら各回路の動作を制御する制御回路２３を備える。送信電極１４は絶縁膜１５ａを介して生体１００に接続され、受信電極１６は絶縁膜１５ｂを介して生体１００に接続される。なお、制御回路２３から出力されている経路は、全て制御信号を伝送するための制御線である。
【００２６】
第１の態様における設置端末側のトランシーバ３ａは、データ信号を送信する前にデータ信号の周波数帯域とは異なる周波数帯域で接続信号を送信する。具体的には、トランシーバ３ａは、データ信号を送信するための通信用送信回路１２の他に、接続信号を送信するための待ち受け用送信回路１１を備え、データ信号を送信しない状態では、制御回路２３により待ち受け用送信回路１１を動作させるとともに、通信用送信回路１２を停止させ、切替スイッチ１３により待ち受け用送信回路１１の出力端子を送信電極１４に接続させる。そして、データ信号を送信する直前に待ち受け用送信回路１１から接続信号を送信電極１４へ伝送する。送信電極１４は、伝送されてきた接続信号に基づいて絶縁膜１５ａを介して生体１００に対して電界を誘起する。
【００２７】
待ち受け用送信回路１１は、図３に示すように、発振器３１とドライバ３２を備える。発振器３１は、データ信号の周波数帯域とは異なる周波数帯域で接続信号を生成し、ドライバ３２を介して接続信号を外部へ出力する。
【００２８】
トランシーバ３ａは、データ信号を送信するときには、制御回路２３により待ち受け用送信回路１１の動作を停止させるとともに通信用送信回路１２を動作させ、図４に示すように、通信用送信回路１２の出力端子を切替スイッチ１３により送信電極１４に接続させる。そして、通信用送信回路１２からのデータ信号を送信電極１４へ伝送する。送信電極１４は、伝送されてきたデータ信号に基づいて絶縁膜１５ａを介して生体１００に対して電界を誘起する。
【００２９】
通信用送信回路１２は、図５に示すように、レベル調整回路３３と送信回路３４を備える。レベル調整回路３３は、パソコン５から伝送されてきたデータ信号の振幅レベルを調整し、送信回路３４はデータ信号を送信用に整形する。
【００３０】
一方、携帯端末側のトランシーバ３ｂは、図６に示すように、携帯端末１に対して入出力回路２を介して接続される。そして送信側の構成として、通信用送信回路１２、送信電極１４を備え、受信側の構成として、受信電極１６、電流源１７、レーザ光源１８、電気光学結晶１９、偏光検出光学系２０、通信用受信回路２１、第二信号処理回路２２、切替スイッチ２４、待ち受け用受信回路２５、第一信号処理回路２６を備え、さらにこれら各回路の動作を制御する制御回路２７を備える。
【００３１】
第１の態様における携帯端末側のトランシーバ３ｂは、トランシーバ３ａによって誘起された電界を受信電極１６で受信し、受信した電界を光源からの光と電気光学結晶を用いて検出し電気信号に変換する電界検出回路を備える。すなわち、受信した電界を電気光学結晶１９に結合し、これにより電気光学結晶１９に照射されているレーザ光源１８からの光を偏光し、この偏光した光を偏光検出光学系２０で電気信号に変換する。この電気光学結晶２９と偏光検出光学系２０が電界検出回路に相当する。
【００３２】
そして、この電気信号について、第一信号処理回路２６に内蔵のフィルタにより接続信号の周波数帯域のものを通過させ、制御回路２７によりフィルタを通過した電気信号に基づき、例えばフィルタを通過した電気信号のレベル又は有無に基づいて、接続信号を受信したか否かを判定し、接続信号を受信するまでの間はデータ信号を受信するための回路の動作を抑制する。
【００３３】
具体的には、制御回路２７は、データ信号を受信する前の待ち受けモードでは、データ信号を受信するための通信用受信回路２１、第二信号処理回路２２の動作を停止させ、あるいは待ち受けモード用の低電力で動作させる。そして、偏光検出光学系２０の出力端子を切替スイッチ２４により待ち受け用受信回路２５に接続させ、偏光検出光学系２０から出力される電気信号を待ち受け用受信回路２５を介して第一信号処理回路２６へ出力させる。
【００３４】
第一信号処理回路２６は、図７に示すように、アンプ４１、第一バンドパスフィルタ４２、信号強度モニタ部４３を備える。アンプ４１は、電気信号の振幅を調整する。第一バンドパスフィルタ４２は、設置端末側のトランシーバ３ａの待ち受け用送信回路１１で接続信号用に設定された周波数帯域と同じ周波数帯域の信号を通過させる。信号強度モニタ部４３は、第一バンドパスフィルタ４２を通過した電気信号のレベル強度をモニタし、その値を出力する。
【００３５】
制御回路２７は、このレベル強度が一定値以上の場合に、接続信号を受信したものと判断して、データ信号を受信するための通信モードの準備を開始する。すなわち、制御回路２７は、通信用受信回路２１、第二信号処理回路２２に動作を開始させるとともに、待ち受け用受信回路２５、第一信号処理回路２６の動作を停止させ、あるいは低電力で動作させる。そして、図８に示すように、偏光検出光学系２０の出力端子を切替スイッチ２４により待ち受け用受信回路２５から通信用受信回路２１に切り替え接続させ、偏光検出光学系２０から出力される電気信号を通信用受信回路２１を介して第二信号処理回路２２へ出力させる。
【００３６】
第二信号処理回路２２は、図９に示すように、アンプ５１、第二バンドパスフィルタ５２、波形整形回路５３を備える。アンプ５１は、電気信号の振幅を調整する。第二バンドパスフィルタ５２は、設置端末側のトランシーバ３ａの通信用送信回路１２でデータ信号用に設定された周波数帯域と同じ周波数帯域の信号を通過させる。波形整形回路５３は、第二バンドパスフィルタ５２を通過した電気信号の雑音除去、波形整形の処理を行う。
【００３７】
なお、上記の説明では、設置端末側のトランシーバ３ａが送信し、携帯端末側のトランシーバ３ｂが受信する場合について説明したが、携帯端末側のトランシーバ３ｂが送信し、設置端末側のトランシーバ３ａが受信する場合には、設置端末側のトランシーバ３ａでは、図１０に示すように、切替スイッチ１３により待ち受け用送信回路１１と通信用送信回路１２のいずれの出力端子も送信電極１４に接続させず、送信電界が生じないようにして、受信電界が送信電界による干渉を受けないようにする。
【００３８】
したがって、第１の態様における電界通信システムによれば、設置端末側のトランシーバ３ａにおける待ち受け用送信回路１１によりデータ信号を送信する前にデータ信号の周波数帯域とは異なる周波数帯域で接続信号を送信し、携帯端末側のトランシーバ３ｂにおける制御回路２７により第一バンドパスフィルタ４２を通過した電気信号に基づいて接続信号を受信したか否かを判定し、接続信号を受信するまでの間はデータ信号を受信するための回路の動作を抑制することで、データ信号を受信する前の待ち受けモードにおける消費電力の低減を図ることができる。
【００３９】
次に、第２の態様における電界通信システムについて説明する。第２の態様では、設置端末側のトランシーバ３ａは、データ信号を送信する前にデータ信号の周波数帯域よりも狭い周波数帯域で接続信号を送信する。具体的には、待ち受け用送信回路１１における発振器３１により、データ信号の周波数帯域よりも狭い周波数帯域で接続信号を生成する。このように、接続信号の周波数帯域をデータ信号の周波数帯域よりも狭く設定したことで、接続信号はノイズの影響を受け難くなり、接続信号のＳ／Ｎはデータ信号のものよりも向上することになる。
【００４０】
そして、携帯端末側のトランシーバ３ｂは、第一信号処理回路２６に内蔵の第一バンドパスフィルタ４２により前記の接続信号の周波数帯域と同じ周波数帯域の電気信号を通過させ、制御回路２７により第一バンドパスフィルタ４２を通過した電気信号に基づいて接続信号を受信したか否かを判定し、接続信号を受信するまでの間はデータ信号を受信するための回路の動作を抑制する。
【００４１】
データ信号を受信するための回路の動作抑制としては、具体的には、接続信号のＳ／Ｎが向上した分だけレーザ光源１８の出力を抑制することが可能となるので、電流源１７、レーザ光源１８における消費電力を低減する。なお、トランシーバ３ａ，３ｂの各部におけるその他の動作については前述したものと同様であるので、ここでは重複した説明は省略する。
【００４２】
したがって、第２の態様における電界通信システムによれば、接続信号の周波数帯域をデータ信号の周波数帯域よりも狭く設定したことで、接続信号のＳ／Ｎがデータ信号のものよりも向上するので、この分だけレーザ光源１８の出力を抑制することが可能となり、待ち受けモードにおける電流源１７、レーザ光源１８の消費電力を低減することができる。
【００４３】
次に、第３の態様における電界通信システムについて説明する。第３の態様では、設置端末側のトランシーバ３ａは、データ信号を送信する前に、携帯端末側のトランシーバ３ｂにおける電気光学結晶１９の共振周波数帯域に周波数帯域を設定した接続信号を送信する。具体的には、待ち受け用送信回路１１に内蔵の発振器３１により、図１１の周波数特性に示すように、データ通信用の周波数帯域ｆａ−ｆｂとは別の電気光学結晶の共振周波数帯域で接続信号を生成する。同図に示すように、電気光学結晶１９は、共振周波数帯域にある電気信号については検出強度が強くなるので、接続信号のＳ／Ｎはさらに向上することになる。
【００４４】
そして、携帯端末側のトランシーバ３ｂは、第一信号処理回路２６に内蔵の第一バンドパスフィルタ４２により電気光学結晶１９の共振周波数帯域の範囲内にある電気信号を通過させ、制御回路２７により第一バンドパスフィルタ４２を通過した電気信号に基づいて接続信号を受信したか否かを判定し、接続信号を受信するまでの間はデータ信号を受信するための回路の動作を抑制する。
【００４５】
データ信号を受信するための回路の動作抑制としては、具体的には、接続信号のＳ／Ｎが向上した分だけレーザ光源１８の出力を抑制することが可能となるので、電流源１７、レーザ光源１８における消費電力を低減する。なお、トランシーバ３ａ，３ｂの各部におけるその他の動作については前述したものと同様であるので、ここでは重複した説明は省略する。
【００４６】
図１２のタイムチャートに示すように、設置端末側のトランシーバ３ａは、接続信号を送信するまでの待ち受けモードでは、待ち受け用送信回路１１と、電流源１７、レーザ光源１８、電気光学結晶１９、偏光検出光学系２０、通信用受信回路２１、第二信号処理回路２２といった受信部とを常に動作させるとともに、通信用送信回路１２を停止させ、あるいは待ち受けモード用の低電力で動作させる。
【００４７】
また、トランシーバ３ａは、データ信号を送受信する通信モードでは、通信用送信回路１２と、電流源１７、レーザ光源１８、電気光学結晶１９、偏光検出光学系２０、通信用受信回路２１、第二信号処理回路２２といった受信部を常に動作させるとともに、待ち受け用送信回路１１を停止させ、あるいは低電力で動作させる。なお、同図においては、受信状態については「受」、送信状態については「送」で示してある。
【００４８】
一方、図１３のタイムチャートに示すように、携帯端末側トランシーバ３ｂは、待ち受けモードでは、制御回路２７により、接続信号のＳ／Ｎが向上した分だけ電流源１７がレーザ光源１８に出力する電流を低減させることで消費電力の低減を図るとともに、簡欠的にレーザ光源１８を動作させることで常にレーザ光源１８を動作させる場合に比して消費電力の低減を図る。
【００４９】
また、トランシーバ３ｂは、通信モードでは、制御回路２７により、データ受信状態と判断した場合に、電流源１７にレーザ光源１８へ電流を出力させてレーザ光源１８を動作させ、データ送信状態と判断した場合に、電流源１７に電流の出力を停止させてレーザ光源１８を停止させる。
【００５０】
待ち受けモードでの信号の波形をまとめると図１４に示すようになる。同図（ａ）は、設置端末側のトランシーバ３ａが送信した接続信号の波形、同図（ｂ）は携帯端末側のトランシーバ３ｂにおけるレーザ光源１８によるレーザ光パワー、同図（ｃ）は携帯端末側のトランシーバ３ｂにおける偏光検出光学系２０によって検出された受信信号である。
【００５１】
したがって、第３の態様における電界通信システムによれば、接続信号の周波数帯域を電気光学結晶１９の共振周波数帯域に設定したことで、接続信号のＳ／Ｎがさらに向上するので、この分だけレーザ光源１８の出力を抑制することが可能となり、待ち受けモードにおける電流源１７、レーザ光源１８の消費電力をさらに低減することができる。
【００５２】
なお、図１２乃至１４を用いて説明した動作については、第１の態様、第２の態様の電界通信システムに対しても、レーザ光パワーの強度が異なるだけで基本的には適用可能である。
【００５３】
次に、第４の態様における電界通信システムについて説明する。第４の態様では、設置端末側のトランシーバ３ａは、データ信号を送信する前に、携帯端末側のトランシーバ３ｂにおける電気光学結晶１９の共振周波数帯域内でレベルがピークの周波数に送信周波数を設定した接続信号を送信する。具体的には、待ち受け用送信回路１１に内蔵の発振器３１により、図１１に示した電気光学結晶の共振周波数帯域におけるレベルがピークとなる周波数ｆｃで接続信号を生成する。同図に示すように、電気光学結晶１９は、共振周波数帯域におけるレベルがピークの周波数の電気信号については検出強度が最も強くなるので、接続信号のＳ／Ｎは最大に向上することになる。
【００５４】
そして、携帯端末側のトランシーバ３ｂは、第一信号処理回路２６に内蔵の第一バンドパスフィルタ４２により電気光学結晶１９の共振周波数帯域内でレベルがピークとなる周波数を含む周波数帯域の信号を通過させ、制御回路２７により第一バンドパスフィルタ４２を通過した電気信号に基づいて接続信号を受信したか否かを判定し、接続信号を受信するまでの間はデータ信号を受信するための回路の動作を抑制する。
【００５５】
データ信号を受信するための回路の動作抑制としては、具体的には、接続信号のＳ／Ｎが向上した分だけレーザ光源１８の出力を抑制することが可能となるので、電流源１７、レーザ光源１８における消費電力を低減する。
【００５６】
なお、トランシーバ３ａ，３ｂの各部におけるその他の動作については前述したものと同様であるので、ここでは重複した説明は省略する。また、トランシーバ３ａ，トランシーバ３ｂの全体的な動作についても、図１２乃至１４を用いて説明したものと同様であるので、ここでは重複した説明を省略する。
【００５７】
したがって、第４の態様における電界通信システムによれば、接続信号の周波数を電気光学結晶１９の共振周波数帯域におけるレベルがピークの周波数に設定したことで、接続信号のＳ／Ｎが最も向上するので、この分だけレーザ光源１８の出力を最大に抑制することが可能となり、待ち受けモードにおける電流源１７、レーザ光源１８の消費電力を低減することができる。
【００５８】
なお、本実施の形態では、設置端末側のトランシーバ３ａと携帯端末側のトランシーバ３ｂを別の構成としたがこれに限られるものではない。例えば、設置端末側トランシーバ３ａにおける待ち受け用送信回路１１、通信用送信回路１２、切替スイッチ１３と、携帯端末側トランシーバ３ｂにおける電流源１７、レーザ光源１８、電気光学結晶１９、偏光検出光学系２０、切替スイッチ２４、待ち受け用受信回路２５、第一信号処理回路２６、通信用受信回路２１、第二信号処理回路２２とを１台の電界通信用のトランシーバに備えることとしてもよい。
【００５９】
また、本発明の電界通信システムは、これまで説明してきた態様の他にも、様々な態様への適用が可能である。例えば、ユーザの身体に携帯端末１および接続信号を送信するトランシーバ３ａを装着し、自動販売機、自動ドア、エスカレータといった機器に接続信号を受信するトランシーバ３ｂを搭載することとして、ユーザが上記各機器に近づいて各機器で接続信号を受信したときに、これらの機器が動作を開始するようにし、待ち受けモードでは動作を抑制して消費電力の低減を図るようにしてもよい。
【００６０】
また、第５の態様として、送信用のトランシーバ３ａが複数あり、受信用のトランシーバ３ｂも複数ある場合に、関連する送信用・受信用トランシーバで共通の接続信号の周波数帯域を設定し、関連しない送信用・受信用トランシーバでは接続信号に異なる周波数帯域を設定するようにしてもよい。この構成により、受信用トランシーバにおいて、関連する送信用トランシーバからの接続信号を受信するまでの間はデータ信号を受信するための回路の動作を抑制することができる。
【００６１】
その用途としては、例えば、トランシーバ３ｂを搭載する機器を何らかのサービスを提供する機器とし、この機器が接続信号を受信したときにサービスの提供を開始したり、あるいは提供するサービスを周波数で区別することが考えられる。
【図面の簡単な説明】
【００６２】
【図１】一実施の形態における電界通信システムの全体的な構成を示す図である。
【図２】上記電界通信システムにおける設置端末側トランシーバの待ち受けモード時の構成を示すブロック図である。
【図３】設置端末側トランシーバにおける待ち受け用送信回路の構成を示すブロック図である。
【図４】設置端末側トランシーバの通信モードでの送信時の構成を示すブロック図である。
【図５】設置端末側のトランシーバにおける通信用送信回路の構成を示すブロック図である。
【図６】上記電界通信システムにおける携帯端末側トランシーバの待ち受けモード時の構成を示すブロック図である。
【図７】携帯端末側トランシーバにおける第一信号処理回路の構成を示すブロック図である。
【図８】携帯端末側トランシーバの通信モード時の構成を示すブロック図である。
【図９】携帯端末側トランシーバにおける第二信号処理回路の構成を示すブロック図である。
【図１０】設置端末側トランシーバの通信モードでの受信時の構成を示すブロック図である。
【図１１】携帯端末側トランシーバでの検出信号強度の周波数特性を示す図である。
【図１２】設置端末側トランシーバでの動作を示すタイムチャートである。
【図１３】携帯端末側トランシーバでのレーザ光パワーを示すタイムチャートである。
【図１４】待ち受けモードでの信号の波形を示す図であり、同図（ａ）は、設置端末側トランシーバが送信した接続信号の波形、同図（ｂ）は携帯端末側トランシーバでのレーザ光パワーの波形、同図（ｃ）は携帯端末側トランシーバで偏光検出光学系２０により検出された受信信号の波形である。
【図１５】従来の電界通信システムに用いられるトランシーバの構成を示すブロック図である。
【符号の説明】
【００６３】
１…携帯端末，２…入出力回路
３ａ…設置端末側のトランシーバ
３ｂ…携帯端末側のトランシーバ
５…パソコン
１１…待ち受け用送信回路
１２…通信用送信回路
１３…切替スイッチ
１４…送信電極，１６…受信電極
１５ａ，１５ｂ…絶縁膜
１７…電流源，１８…レーザ光源
１９…電気光学結晶
２０…偏光検出光学系
２１…通信用受信回路
２２…第二信号処理回路
２３…制御回路，２４…切替スイッチ
２５…待ち受け用受信回路
２６…第一信号処理回路
２７…制御回路，３１…発振器
３２…ドライバ，３３…レベル調整回路
３４，１０３…送信回路
４１,５１…アンプ
４２…第一バンドパスフィルタ
４３…信号強度モニタ部
５２…第二バンドパスフィルタ
５３…波形整形回路，１００…生体
１０１…入出力回路
１０２…レベル調整回路
１０５…送信電極，１０７…受信電極
１０６，１０８…絶縁膜  
１０９…信号処理回路
１３１…電気光学結晶
１３３…レーザ光源
１３５…偏光検出光学系
【図１】
2006080641.tif 000003
【図２】
2006080641.tif 000004
【図３】
2006080641.tif 000005
【図４】
2006080641.tif 000006
【図５】
2006080641.tif 000007
【図６】
2006080641.tif 000008
【図７】
2006080641.tif 000009
【図８】
2006080641.tif 000010
【図９】
2006080641.tif 000011
【図１０】
2006080641.tif 000012
【図１１】
2006080641.tif 000013
【図１２】
2006080641.tif 000014
【図１３】
2006080641.tif 000015
【図１４】
2006080641.tif 000016
【図１５】
2006080641.tif 000017